(57)【要約】【課題】  番組案内の全体およびその中の選択された番組の内容を容易に把握することができる「情報表示装置」を提供すること。【解決手段】  デジタル放送受信機１００で電子番組案内ＥＰＧを受信すると、制御部２０はその内容をディスプレイ装置２００に表示する。また、制御部２０は、利用者による操作部２８の操作に応じて電子番組案内ＥＰＧに含まれる一の番組を選択し、この選択した番組の番組情報を抽出してオーディオ装置に向けて送信する。オーディオ装置では、この番組情報を受信すると、同じ筐体に備わっている表示部にこの番組情報を拡大して表示する。【選択図】        図２
2005340877.tif 000002
【特許請求の範囲】
【請求項１】
番組案内情報を受信する番組案内情報受信手段と、
前記番組案内情報受信手段によって受信された前記番組案内情報の内容を表示する第１の表示装置と、
前記第１の表示装置に表示された前記番組案内情報に含まれる複数の番組の中からいずれか一つを選択する番組選択手段と、
前記番組選択手段によって選択された番組の拡大情報を表示する第２の表示装置と、
を備えることを特徴とする情報表示装置。
【請求項２】
請求項１において、
前記第１および第２の表示装置のそれぞれは、車両に搭載された別々の筐体に収納されていることを特徴とする情報表示装置。
【請求項３】
請求項２において、
前記第２の表示装置は、前記番組案内情報やこの情報に対応する番組の受信とは関係のない他の車載装置の筐体に収納されたものが用いられることを特徴とする情報表示装置。
【請求項４】
請求項１〜３のいずれかにおいて、
前記第１の表示装置に表示された前記番組案内情報の中から一つを選択する利用者による指示を受け付ける第１の操作手段をさらに備えることを特徴とする情報表示装置。
【請求項５】
請求項１〜４のいずれかにおいて、
前記番組選択手段によって選択された番組を対象にした所定の処理を行う番組処理手段と、
前記第２の表示装置に表示された前記拡大情報に対応する番組について前記番組処理手段による処理の実行指示を受け付ける第２の操作手段と、
をさらに備えることを特徴とする情報表示装置。
【請求項６】
請求項５において、
前記番組処理手段によって行われる処理は、前記番組選択手段によって選択された番組の予約処理であることを特徴とする情報表示装置。
【請求項７】
請求項５において、
前記番組処理手段によって行われる処理は、前記番組選択手段によって選択された番組の再生処理あるいは記録処理であることを特徴とする情報表示装置。
【請求項８】
請求項５〜７のいずれかにおいて、
前記第２の表示装置と前記第２の操作手段は同じ筐体に備わっていることを特徴とする情報表示装置。
【請求項９】
請求項１〜８のいずれかにおいて、
前記第１の表示手段による表示の対象となる前記番組案内情報よりも、前記第２の表示手段による表示の対象となる前記拡大情報の方が詳細な内容を有していることを特徴とする情報表示装置。
【発明の詳細な説明】
【技術分野】
【０００１】
本発明は、電子番組案内情報を受信して表示する情報表示装置に関する。
【背景技術】
【０００２】
従来から、受信機によって電子番組案内（ＥＰＧ）情報を受信したときに、表示装置の解像度に応じて表示内容を段階的に設定する情報表示装置が知られている（例えば、特許文献１参照。）。例えば、この情報表示装置では、解像度が低い場合には表示項目が「番組名のみ」で小さいフォントに、解像度が高くなると表示項目が「番組名」と「番組内容説明」で小さいフォントに、解像度がさらに高くなると表示項目が「番組名」、「番組内容説明」で大きいフォントにそれぞれ設定される。したがって、どのような解像度の表示装置であっても電子番組案内の適切な表示が行われる。
【０００３】
また、他の従来技術として、表示画面を２つの領域に分割し、一方の領域に電子番組案内そのものを表示し、他方の領域にこの電子番組案内内で利用者によって選択された番組の文字を拡大したものを表示するようにした情報表示装置が知られている（例えば、特許文献２参照。）。この情報表示装置では、表示装置が小さい場合であってもその一部に選択された番組の文字が拡大表示されるため、その内容把握が容易になる。
【特許文献１】特開２００２−２４７４７４号公報（第４−１２頁、図１−１８）
【特許文献２】特開２０００−１０１９４７号公報（第２−３頁、図１−３）
【発明の開示】
【発明が解決しようとする課題】
【０００４】
ところで、特許文献１に開示された情報表示装置では、表示装置の解像度の相違による適切な表示内容の設定を行うことができるが、表示装置の解像度は高いが表示装置そのものが小さい場合には、番組の内容把握が容易ではないという問題がある。解像度が高い場合にはフォントも大きくなるように設定されるが、表示装置そのものが小さい場合にはこのような大きなフォントを用いてもその内容把握は容易ではない。
【０００５】
また、特許文献２に開示された情報表示装置では、表示装置が小さい場合であっても、選択された番組の内容把握が容易になる利点はあるが、電子番組案内が表示される領域が小さくなってしまうため電子番組案内全体の把握が容易でないという問題があった。
【０００６】
本発明は、このような点に鑑みて創作されたものであり、その目的は、番組案内の全体およびその中の選択された番組の内容を容易に把握することができる情報表示装置を提供することにある。
【課題を解決するための手段】
【０００７】
上述した課題を解決するために、本発明の情報表示装置は、番組案内情報を受信する番組案内情報受信手段と、番組案内情報受信手段によって受信された番組案内情報の内容を表示する第１の表示装置と、第１の表示装置に表示された番組案内情報に含まれる複数の番組の中からいずれか一つを選択する番組選択手段と、番組選択手段によって選択された番組の拡大情報を表示する第２の表示装置とを備えている。これにより、番組案内情報の内容把握と選択された番組の内容把握の両方が２つの表示装置を用いることで可能になる。
【０００８】
また、上述した第１および第２の表示装置のそれぞれは、車両に搭載された別々の筐体に収納されていることが望ましい。車両には、番組案内情報を受信する受信機の他にナビゲーション装置やオーディオ装置等の別々に筐体を備える車載装置が数多く搭載されるため、これらの別々の筐体に２つの表示装置を収納することにより、特別な設置スペースが不要になる。
【０００９】
また、上述した第２の表示装置は、番組案内情報やこの情報に対応する番組の受信とは関係のない他の車載装置の筐体に収納されたものが用いられることが望ましい。これにより、番組受信に関係しない他の車載装置に備わっている表示装置に番組の拡大情報を表示することが可能になり、特別に構成を追加する必要がないため、構成の複雑化に伴うコストアップを抑えることができる。
【００１０】
また、上述した第１の表示装置に表示された番組案内情報の中から一つを選択する利用者による指示を受け付ける第１の操作手段をさらに備えることが望ましい。これにより、利用者は、第１の表示装置に表示された番組案内情報を用いて全体を把握して任意の番組を選択することが可能になる。
【００１１】
また、上述した番組選択手段によって選択された番組を対象にした所定の処理を行う番組処理手段と、第２の表示装置に表示された拡大情報に対応する番組について番組処理手段による処理の実行指示を受け付ける第２の操作手段とをさらに備えることが望ましい。これにより、選択された番組についての拡大情報を用いてその内容を把握してこの番組に対する具体的な操作を行うことが可能になる。
【００１２】
また、上述した番組処理手段によって行われる処理は、番組選択手段によって選択された番組の予約処理であることが望ましい。あるいは、上述した番組処理手段によって行われる処理は、番組選択手段によって選択された番組の再生処理あるいは記録処理であることが望ましい。これにより、番組の拡大情報を見ながら再生や記録の予約を行ったり、直接再生や記録を指示したりすることが可能になる。
【００１３】
また、上述した第２の表示装置と第２の操作手段は同じ筐体に備わっていることが望ましい。これにより、番組の拡大情報を見ながら各種の操作指示を行う際の視点移動を少なくすることができるため、操作性を向上させることができる。
【００１４】
また、上述した第１の表示手段による表示の対象となる番組案内情報よりも、第２の表示手段による表示の対象となる拡大情報の方が詳細な内容を有していることが望ましい。これにより、番組案内情報の全体把握の容易さを維持しながら各番組の詳細情報を得ることができる。
【発明を実施するための最良の形態】
【００１５】
以下、本発明の情報表示装置を適用した一実施形態の車載システムについて、図面を参照しながら詳細に説明する。
【００１６】
図１は、一実施形態の車載システムの構成を示す図であり、本発明に直接関係する構成のみが示されている。図１に示すように、本実施形態の車載システムは、デジタル放送受信機１００、ディスプレイ装置２００、オーディオ装置３００を含んで構成されている。これらの各装置は別々の筐体に収納されている。デジタル放送受信機１００は、デジタル放送形式で配信される映像および音声を受信するためのものであり、受信した映像が外部接続されたディスプレイ装置２００に表示される。オーディオ装置３００は、例えばチューナ部やＣＤプレーヤが一体になっており、これらから出力されるオーディオ音信号を出力する。また、オーディオ装置３００には日本語の表示が可能な解像度を有する表示部３５０が備わっている。上述したデジタル放送受信機１００とオーディオ装置３００は通信線を介して接続されており、この通信線を介してデジタル放送受信機１００からオーディオ装置３００に向けて番組情報が送信され、反対にオーディオ装置３００からデジタル放送受信機１００に対しては番組に関する各種の処理要求が送信される。
【００１７】
図２は、デジタル放送受信機１００の構成を示す図である。図２に示すように、デジタル放送受信機１００は、フロントエンド部（Ｆ／Ｅ）１０、ベースバンド処理部１２、データ分離部１４、音声／映像デコード部１６、アンプ１８、制御部２０、画像合成部２２、番組記録再生処理部２４、ハードディスク装置２６、操作部２８、通信処理部３０を含んで構成されている。
【００１８】
フロントエンド部１０は、アンテナ３２を介して受信した放送信号の中から所望の受信周波数成分を抽出するとともに、この抽出した信号に対して周波数変換を行った中間周波信号を出力する。ベースバンド処理部１２は、フロントエンド部１０から出力される中間周波信号に対してＱＰＳＫ復調、アナログ−デジタル変換、エラー訂正（ＦＥＣ：Forwar
d Error Correction）等を行うことにより、ＭＰＥＧ２形式のトランスポートストリームを生成する。
【００１９】
データ分離部１４は、トランスポートストリームに含まれるＶｉｄｅｏトランスポートパケット、Ａｕｄｉｏトランスポートパケット、システムトランスポートパケットから、それぞれに対応する映像データ、音声データ、付加情報を分離する。この付加情報には、電子番組案内ＥＰＧを作成するために必要なイベント・インフォメーション・テーブル（ＥＩＴ：Event Information Table ）等が含まれている。このテーブルには、各放送チャンネルの各番組毎に、番組名、時間情報（番組開始時刻や番組長（放送時間長）等）、番組詳細情報等からなる各番組毎の番組情報が含まれている。
【００２０】
音声／映像デコード部１６は、入力される映像データを映像信号に、音声データを音声信号にそれぞれデコードするとともに、これらの音声信号をアンプ１８に、映像信号を画像合成部２２に出力する。
【００２１】
制御部２０は、デジタル放送受信機１００の全体を制御するものであり、フロントエンド部１０による受信周波数の設定や、ベースバンド処理部１２、音声／映像デコード部１６に対する視聴対象のチャンネルの指示や、付加情報に基づく電子番組案内ＥＰＧの生成およびこの電子番組案内ＥＰＧを用いた番組の検索等の各種制御を行う。電子番組案内ＥＰＧは、所定の表示形式の画像として生成され、画像合成部２２に向けて出力される。
【００２２】
また、制御部２０は、受信した各放送番組に対する番組予約（記録の予約）や、この番組予約内容に基づく放送番組の記録制御（番組予約がなされた放送時間帯になったときに記録を指示する制御）、記録された放送番組の再生制御を行う。
【００２３】
画像合成部２２は、音声／映像デコード部１６から入力される映像信号と制御部２０から入力される画像（ＥＰＧの画像の他に制御部２０によって生成される文字データ等の画像が含まれている）を合成し、外部接続されたディスプレイ装置２００に映像を表示する。
【００２４】
番組記録再生処理部２４は、制御部２０による記録制御にしたがって、受信中あるいは番組予約された放送番組の内容を所定方式（例えばＭＰＥＧ２方式）で圧縮してハードディスク装置２６に記録するとともに、制御部２０による再生制御にしたがって、ハードディスク装置２６に記録された放送番組を再生する。例えば、番組記録再生処理部２４は、再生処理を行うために上述した音声／映像デコード部１６と同様の機能を有しており、再生処理時には映像信号を画像合成部２２に、音声信号をアンプ１８にそれぞれ入力する（図１ではそれぞれの入力経路については省略されている）。
【００２５】
操作部２８は、電子番組案内ＥＰＧ上で視聴対象となる番組の指定や、番組予約および記録された番組の再生指示等を行うものである。通信処理部３０は、デジタル放送受信機１００とオーディオ装置３００との間で各種の情報を送受信する処理を行う。
【００２６】
図３は、オーディオ装置３００の構成を示す図である。図３に示すように、オーディオ装置３００は、チューナ部３１０、ＣＤプレーヤ３２０、オーディオ処理部３３０、オーディオ音出力部３３２、制御部３４０、操作部３４２、通信処理部３４４、表示部３５０を含んで構成されている。
【００２７】
チューナ部３１０は、アナログ方式のＡＭ放送波およびＦＭ放送波で配信される放送プログラムを受信して再生出力する。ＣＤプレーヤ３２０は、ＣＤ（コンパクトディスク）に記録されたオーディオ情報を読み出して再生する。オーディオ処理部３３０は、チューナ部３１０やＣＤプレーヤ３２０から出力されるオーディオ音データに対して所定のイコライザ処理等を行った後のオーディオ音信号を生成する。このオーディオ音信号は、オーディオ音出力部３３２から外部のアンプユニット（図示せず）に向けて出力される。
【００２８】
制御部３４０は、オーディオ装置３００の全体を制御するものであり、オーディオソース（チューナ部３１０、ＣＤプレーヤ３２０）を選択したり、音量や音質を調整するための制御を行う。制御部３４０は、通信処理部３４４を介してデジタル放送受信機１００との間で各種の情報を送受信する一連の制御を行う。具体的には、制御部３４０は、デジタル放送受信機１００から番組情報が送られてきたときにこれを受信した後、表示部３５０にその内容を表示する処理を行うとともに、この番組情報が表示中の番組に対する再生指示や記録等の予約が指示された場合にはこれらの処理要求をデジタル放送受信機１００に向けて送信する。操作部３４２は、利用者がオーディオソースを選択して再生を指示したり、音量等の再生状態を指示したりするものであり、所定の操作キーを備える。また、操作部３４２は、表示部３５０に番組情報が表示中の番組に対して利用者による再生や予約を指示する。これらの指示は、オーディオソースの選択や音量等の指示を行う各種の操作キーを用いて行われる。なお、これらの再生等の指示内容と各種の操作キーとの対応は、あらかじめ固定的に定めておいてもよいが、デジタル放送受信機１００とオーディオ装置３００とを接続した際に利用者の操作に基づいて設定することが望ましい。例えば、再生を指示する操作キーの問い合わせをデジタル放送受信機１００からオーディオ装置３００に送り、この問い合わせ時に利用者が所望の操作キーを押下すると、この操作キーの情報が送り返される。以後、このデジタル放送受信機１００では、この操作キーが押下されたときに番組の再生が指示されたものとして扱われる。予約についても同様である。
【００２９】
上述したフロントエンド部１０、ベースバンド処理部１２、データ分離部１４、制御部２０が番組案内情報受信手段に、ディスプレイ装置２００が第１の表示装置に、制御部２０が番組選択手段に、操作部２８が第１の操作手段に、音声／映像デコード部１６、アンプ１８、スピーカ３４、画像合成部２２、番組記録再生処理部２４、ハードディスク装置２６、ディスプレイ装置２００が番組処理手段に、操作部３４２が第２の操作手段にそれぞれ対応する。
【００３０】
本実施形態のデジタル放送受信機１００およびオーディオ装置３００はこのような構成を有しており、次にその動作を説明する。
【００３１】
図４は、デジタル放送受信機１００の動作手順を示す流れ図であり、主に電子番組案内ＥＰＧの表示に関連する動作手順が示されている。デジタル放送受信機１００が受信動作を開始すると、制御部２０は、操作部２８が操作されて電子番組案内ＥＰＧの表示が利用者によって要求されたか否かを判定する（ステップ１００）。要求されていない場合にはこの判定が繰り返される。また、電子番組案内ＥＰＧの表示が要求された場合にはステップ１００の判定において肯定判断が行われ、次に、制御部２０は、データ分離部１４によって分離された付加情報に含まれるイベント・インフォメーション・テーブルに基づいて電子番組案内ＥＰＧを作成し、画像合成部２２を介してディスプレイ装置２００に表示する（ステップ１０１）。
【００３２】
次に、制御部２０は、表示中の電子番組案内ＥＰＧの中から選択された一の番組に対応する番組情報を抽出する（ステップ１０２）。なお、電子番組案内ＥＰＧが表示された直後においては、あらかじめ決められた所定位置（例えば画面左上）の番組が選択され、この選択位置を示すカーソル画像が表示されている。例えば、選択された番組の枠線を太くかつ色を変えて強調表示したカーソル画像が用いられるが、このカーソル画像は選択された番組が他の番組と区別可能であればどのようなものでもよい。
【００３３】
次に、制御部２０は、抽出した番組情報を通信処理部３０を介してオーディオ装置３００に向けて送信する（ステップ１０３）。その後、制御部２０は、選択された番組が変更されたか否かを判定する（ステップ１０４）。選択された番組の変更は、操作部２８を用いて、表示中の電子番組案内ＥＰＧのカーソル位置を変更することにより行われる。例えば、操作部２８に備わった矢印キー等を用いてカーソル位置が変更されたか否かが判定される。選択された番組が変更された場合には肯定判断が行われ、ステップ１０２に戻ってこの新たに選択された番組に対応する番組情報抽出以降の処理が行われる。
【００３４】
また、選択された番組が変更されない場合にはステップ１０４の判定において否定判断が行われ、次に、制御部２０は、選択された番組に対応する所定の処理が要求されたか否かを判定する（ステップ１０５）。ここで、番組に対応する処理とは、この番組の内容を再生する処理や、この番組の記録を予約する処理が含まれる。また、処理の要求は、利用者が操作部２８を操作して行う場合と、利用者がオーディオ装置３００の操作部３４２を操作して行う場合があり、後者の場合には処理要求を示す指示がオーディオ装置３００から送られてくる。処理の要求がなされない場合にはステップ１０５において否定判断が行われ、ステップ１０４に戻って選択された番組の変更の有無判定以降の処理が繰り返される。
【００３５】
また、処理の要求がなされた場合にはステップ１０５において肯定判断が行われ、次に、制御部２０は、要求された処理を実施する（ステップ１０６）。例えば、再生が指示された場合には、その番組を放送時間に対応して再生する処理が行われる。このとき、放送時間帯が現在時刻よりも遅い場合には再生の予約処理が行われる。また、記録が指示された場合には、その番組を放送時間に対応して記録する処理が行われる。このとき、放送時間帯が現在時刻よりも遅い場合には記録の予約処理が行われる。このようにして要求された処理が実施された後、ステップ１００に戻って電子番組案内ＥＰＧの表示要求の有無判定以降の処理が繰り返される。
【００３６】
図５は、オーディオ装置３００の動作手順を示す流れ図であり、主に電子番組案内ＥＰＧの中から選択された一の番組に対応する番組情報の表示に関連する動作手順が示されている。オーディオ装置３００が動作を開始すると、制御部３４０は、デジタル放送受信機１００から番組情報が送られてきたか否かを判定する（ステップ２００）。送られてこない場合には否定判断が行われ、この判定が繰り返される。また、デジタル放送受信機１００から番組情報が送られてくるとステップ２００の判定において肯定判断が行われ、次に、制御部３４０は、受信した番組情報の内容を表示部３５０に表示する（ステップ２０１）。その後、制御部３４０は、この番組情報を表示中の番組に対して所定の処理の実施を指示する操作が行われたか否かを判定する（ステップ２０２）。このような操作が行われない場合にはこの判定が繰り返される。また、利用者によって操作部３４２が操作され、番組を再生あるいは記録する処理の実施が指示されるとステップ２０２の判定において肯定判断が行われる。次に、制御部３４０は、通信処理部３４４を介してデジタル放送受信機１００に対して、この指示された処理の実施を要求する（ステップ２０３）。その後、ステップ２０２に戻って処理の実施指示の有無判定以降の動作が繰り返される。
【００３７】
図６は、デジタル放送受信機１００における電子番組案内ＥＰＧの表示とオーディオ装置３００における番組情報の表示の具体例を示す図である。図６に示すように、デジタル放送受信機１００に接続されたディスプレイ装置２００には電子番組案内ＥＰＧの一部（あるいは全部）が表示されており、この表示された電子番組案内ＥＰＧには時間帯および放送チャンネル毎に並べられた複数の番組の番組情報が含まれている。また、本実施形態では、家庭用等に比べて小さな表示面積のディスプレイ装置２００が用いられることを前提としているため、表示される電子番組案内ＥＰＧを構成する各番組に対応する番組情報としては、放送時間帯と番組名のみが含まれるものとする。
【００３８】
また、デジタル放送受信機１００では、このような表示がおこなわれた電子番組案内ＥＰＧにおいてカーソル位置が設定された一の番組の番組情報が抽出され、オーディオ装置３００に向けて送信される。なお、この送信される番組情報には、ディスプレイ装置２００に表示されていない番組詳細情報等も含まれている。
【００３９】
オーディオ装置３００では、電子番組案内ＥＰＧにおいて選択された一の番組に対応する番組情報が拡大され、拡大情報として表示部３５０に表示される。なお、この拡大情報の表示はオーディオ装置３００内の制御部３４０によって行われる。例えば、本実施形態では、ディスプレイ装置２００を用いて表示された電子番組案内ＥＰＧに含まれる各番組の番組情報よりもフォントを単純に大きくしたり、あらかじめ１画素の大きさの比がわかっている場合にはこの比を考慮してフォントの大きさを変換したりして（この場合には必ずしも１文字を構成するフォントの画素数が増加するとは限らない）、拡大情報が作成され、拡大された番組情報が表示される。
【００４０】
また、このように一の番組の番組情報がオーディオ装置３００の表示部３５０に表示された状態で、このオーディオ装置３００の操作部３４２に備わった所定の操作キー（例えば図６に示す操作キー３４２Ａ、３４２Ｂ等）が押下されると、これらの操作キーに対応する再生や記録の実施がオーディオ装置３００からデジタル放送受信機１００に向けて送られる。
【００４１】
このように、本実施形態の車載システムでは、デジタル放送受信機１００に接続されたディスプレイ装置２００に電子番組案内ＥＰＧの全部あるいは一部を表示するとともに、この中から選択された一の番組の番組情報がオーディオ装置３００の表示部３５０を用いて表示しているため、電子番組案内ＥＰＧの内容把握と選択された番組の内容把握の両方が可能になる。
【００４２】
また、車両には番組案内情報を受信するデジタル放送受信機１００やディスプレイ装置２００の他にオーディオ装置３００等の別々の筐体に収容された各種の車載装置が数多く搭載されるため、これらの別々の筐体に２つのディスプレイ装置２００と表示部３５０を収納することにより、特別な設置スペースが不要になる。特に、番組情報が表示される表示部３５０は、番組案内情報やこの情報に対応する番組の受信とは関係のない他の車載装置としてのオーディオ装置３００の筐体に収納されたものが用いられており、この表示部３５０から番組情報を拡大した拡大情報を表示することが可能になり、特別に構成を追加する必要がないため、構成の複雑化に伴うコストアップを抑えることができる。
【００４３】
また、ディスプレイ装置２００に表示した電子番組案内ＥＰＧの中から一つの番組を選択する指示を受け付ける操作部２８が備わっているため、利用者は、ディスプレイ装置２００に表示された電子番組案内ＥＰＧを用いて全体を把握して任意の番組を選択することが可能になる。また、利用者は、選択された番組についての拡大情報をオーディオ装置３００の表示部３５０を見てその内容を把握するとともに、この番組に対する処理の実施指示（再生や記録の予約指示や直接再生や記録を行う指示）をオーディオ装置３００に備わった操作部３４２を操作して行うことが可能になる。
【００４４】
また、表示部３５０と操作部３４２は、オーディオ装置３００の筐体に備わっているため、番組の拡大情報を見ながら各種の操作指示を行う際の視点移動を少なくすることができ、操作性を向上させることができる。
【００４５】
また、ディスプレイ装置２００による表示の対象となる電子番組案内ＥＰＧよりも、表示部３５０による表示の対象となる拡大情報（番組情報）の方が詳細な内容を有しているため、電子番組案内ＥＰＧの全体把握の容易さを維持しながら各番組の詳細情報を得ることができる。
【００４６】
なお、本発明は上記実施形態に限定されるものではなく、本発明の要旨の範囲内において種々の変形実施が可能である。例えば、上述した実施形態では、オーディオ装置３００に備わった表示部３５０に番組情報を表示するようにしたが、表示部３５０が備わっている他の装置に番組情報を送って表示するようにしてもよい。また、上述した実施形態では、車載システムに本発明を適用する場合について説明したが、例えば家庭用のデジタル放送受信機とオーディオ装置等に電子番組案内ＥＰＧや番組情報を表示する場合にも本発明を適用することができる。
【図面の簡単な説明】
【００４７】
【図１】一実施形態の車載システムの構成を示す図である。
【図２】デジタル放送受信機の構成を示す図である。
【図３】オーディオ装置の構成を示す図である。
【図４】デジタル放送受信機の動作手順を示す流れ図である。
【図５】オーディオ装置の動作手順を示す流れ図である。
【図６】デジタル放送受信機における電子番組案内ＥＰＧの表示とオーディオ装置における番組情報の表示の具体例を示す図である。
【符号の説明】
【００４８】
１０  フロントエンド部（Ｆ／Ｅ）
１２  ベースバンド処理部
１４  データ分離部
１６  音声／映像デコード部
２０、３４０  制御部
２２  画像合成部
２４  番組記録再生処理部
２６  ハードディスク装置
２８、３４２  操作部
３０、３４４  通信処理部
１００  デジタル放送受信機
２００  ディスプレイ装置
３００  オーディオ装置
３１０  チューナ部
３２０  ＣＤプレーヤ
３３０  オーディオ処理部
３５０  表示部
【図１】
2005340877.tif 000003
【図２】
2005340877.tif 000004
【図３】
2005340877.tif 000005
【図４】
2005340877.tif 000006
【図５】
2005340877.tif 000007
【図６】
2005340877.tif 000008